(57)【要約】  【課題】  故意的な通気膜への負荷に対して通気膜を保護できる電子装置を提供する。  【解決手段】  筐体３は貫通穴７を有し、貫通穴７には通気膜１５が設けられている。保護手段である保護リング９および保護キャップ１７は、筐体３の外側で通気膜１５を覆うように設けられている。保護リング９と保護キャップ１７の隙間４１は、保護手段の内外を連通する開口である。断面視で通気膜１５の外端部Ｃ点と開口の内側下端部Ｂ点とを結んだ直線上または該直線よりも内側に開口の外側上端部Ｂ点が位置している。【選択図】  図１
2006041304.tif 000002
【特許請求の範囲】
【請求項１】
貫通穴を有した筐体と、前記貫通穴に設けられた通気膜と、前記筐体の外側で前記通気膜を覆うように設けられた保護手段とを備え、前記保護手段の内外を連通する開口が前記保護手段に設けられており、断面視で前記通気膜の外端部と前記開口の内側下端部とを結んだ直線上または該直線よりも内側に前記開口の外側上端部が位置することを特徴とする電子装置。
【請求項２】
前記通気膜は、前記貫通穴に嵌合する通気キャップに備えられており、前記保護手段は、前記筐体に備えられた円筒状の保護リングと、前記通気キャップに係合した保護キャップとを有し、前記開口は前記保護リングと前記保護キャップとの隙間であり、前記開口の内側下端部は前記保護キャップの外端部であり、前記開口の外側上端部は前記保護リングの内周上端部であることを特徴とする請求項１に記載の電子装置。
【請求項３】
前記通気膜は、前記貫通穴に嵌合する通気キャップに備えられており、前記保護手段は、前記筐体に備えられた円筒状の保護リングと、天面に通気穴を有し前記保護リングに取り付けられた保護キャップとを有し、前記通気穴が前記保護手段の前記開口であり、前記開口の内側下端部は前記保護キャップの通気穴の内側下端部であり、前記開口の外側上端部は前記保護キャップの通気穴の外側上端部であることを特徴とする請求項１に記載の電子装置。
【請求項４】
貫通穴を有した筐体と、前記筐体に備えられた円筒状の保護リングと、通気膜を備え前記貫通穴に嵌合する通気キャップと、前記通気キャップに係合し前記通気膜に対して前記貫通穴とは反対側に設けられた保護キャップとを有し、断面視で前記通気膜の外端部と前記保護キャップの外端部とを結んだ直線上または該直線より内側に前記保護リングの内周上端部が位置することを特徴とする電子装置。
【請求項５】
貫通穴を有した筐体と、前記筐体に備えられた円筒状の保護リングと、通気膜を備え前記貫通穴に嵌合する通気キャップと、天面に通気穴を有し前記保護リングに脱着可能に前記通気膜に対して前記貫通穴とは反対側に設けられた保護キャップとを有し、断面視で前記保護膜の外端部と前記保護キャップの通気穴の内側下端部とを結んだ直線上または該直線より内側に前記保護キャップの通気穴の外側上端部が位置することを特徴とする電子装置。
【発明の詳細な説明】
【技術分野】
【０００１】
本発明は、回路基板等の電子部品を収容する電子装置に関し、特に、通気手段を備えた電子装置に関する。
【背景技術】
【０００２】
従来の電子機器は、図７に示すように、ケース１００の蓋体１０２に通気穴１０４が設けられており、通気穴１０４が通気膜１０６によって覆われている。通気膜１０６は、例えばポリエチレンテレフタート（ＰＥＴ）等からなる撥水・撥油層１０８にＰＴＦＥ等からなる多孔質層１１０を積層した構成を有しており、液体の通過は遮断するが気体の通過は許容する性質を有している。
【０００３】
図７の例では、多孔質層１１０の外周部に、撥水・撥油層１０８の積層されていない被溶着部１１２が形成されている。一方、蓋体１０２には、通気孔１０４の縁部に環状の溶着部１１４が設けられている。被溶着部１１２に溶着部１１４の先端が溶着されることで、通気膜１０６がケース１００に取り付けられている。
【０００４】
このような従来装置では、通気膜がケース表面より低い位置に配置されており、これにより、異物の接触による通気膜の損傷が防止されている（例えば特許文献１参照）。
【特許文献１】特開２００３−２５８４４４号公報（第２、３ページ、図３）
【発明の開示】
【発明が解決しようとする課題】
【０００５】
しかしながら、従来の電子機器においては、通気膜に故意に高圧洗浄のノズルを向けたり、故意に棒で通気膜を突いたりすると、通気膜の損傷が発生するという問題があった。
【０００６】
本発明は、従来の問題を解決するためになされたもので、故意的な通気膜への負荷に対しても通気膜を保護することが可能であり、通気膜の損傷を軽減することのできる電子装置を提供することを目的とする。
【課題を解決するための手段】
【０００７】
本発明の電子装置は、貫通穴を有した筐体と、前記貫通穴に設けられた通気膜と、前記筐体の外側で前記通気膜を覆うように設けられた保護手段とを備え、前記保護手段の内外を連通する開口が前記保護手段に設けられており、断面視で前記通気膜の外端部と前記開口の内側下端部とを結んだ直線上または該直線よりも内側に前記開口の外側上端部が位置した構成を有している。
【０００８】
この構成により、棒などや高圧洗浄の液体噴流が保護手段の開口を通っても通気膜に直接届かないので、故意的な通気膜への負荷に対しても通気膜を保護することが可能であり、通気膜の損傷を軽減することができる。
【０００９】
本発明の電子装置において、前記通気膜は、前記貫通穴に嵌合する通気キャップに備えられており、前記保護手段は、前記筐体に備えられた円筒状の保護リングと、前記通気キャップに係合した保護キャップとを有し、前記開口は前記保護リングと前記保護キャップとの隙間であり、前記開口の内側下端部は前記保護キャップの外端部であり、前記開口の外側上端部は前記保護リングの内周上端部である。この構成では、保護リングと保護キャップの隙間が保護手段の開口であり、該隙間が通気膜を保護できるように構成され、通気膜の損傷を好適に軽減できる。
【００１０】
また、本発明の電子装置において、前記通気膜は、前記貫通穴に嵌合する通気キャップに備えられており、前記保護手段は、前記筐体に備えられた円筒状の保護リングと、天面に通気穴を有し前記保護リングに取り付けられた保護キャップとを有し、前記通気穴が前記保護手段の前記開口であり、前記開口の内側下端部は前記保護キャップの通気穴の内側下端部であり、前記開口の外側上端部は前記保護キャップの通気穴の外側上端部である。この構成では、保護キャップの通気穴が保護手段の開口であり、該通気穴が通気膜を保護できるように構成され、通気膜の損傷を好適に軽減できる。
【００１１】
本発明の別態様の電子装置は、貫通穴を有した筐体と、前記筐体に備えられた円筒状の保護リングと、通気膜を備え前記貫通穴に嵌合する通気キャップと、前記通気キャップに係合し前記通気膜に対して前記貫通穴とは反対側に設けられた保護キャップとを有し、断面視で前記通気膜の外端部と前記保護キャップの外端部とを結んだ直線上または該直線より内側に前記保護リングの内周上端部が位置した構成を有している。
【００１２】
この構成によっても、棒などや高圧洗浄の液体噴流が通気膜に直接届かないので、故意的な通気膜への負荷に対しても通気膜を保護することが可能であり、通気膜の損傷を軽減することができる。
【００１３】
また、本発明の別態様の電子装置は、貫通穴を有した筐体と、前記筐体に備えられた円筒状の保護リングと、通気膜を備え前記貫通穴に嵌合する通気キャップと、天面に通気穴を有し前記保護リングに脱着可能に前記通気膜に対して前記貫通穴とは反対側に設けられた保護キャップとを有し、断面視で前記保護膜の外端部と前記保護キャップの通気穴の内側下端部とを結んだ直線上または該直線より内側に前記保護キャップの通気穴の外側上端部が位置した構成を有している。
【００１４】
この構成によっても、棒などや高圧洗浄の液体噴流が通気膜に直接届かないので、故意的な通気膜への負荷に対しても通気膜を保護することが可能であり、通気膜の損傷を軽減することができる。
【発明の効果】
【００１５】
本発明は、断面視で通気膜の外端部と保護手段の開口の内側下端部とを結んだ直線上または直線より内側に開口の外側上端部が位置するように保護手段を設けることにより、故意的な通気膜への負荷に対しても通気膜を保護することが可能であり、通気膜の損傷を軽減することのできるという効果を有する電子装置を提供することができる。
【発明を実施するための最良の形態】
【００１６】
以下、本発明の実施の形態の電子装置について、図面を用いて説明する。
【００１７】
本発明の第１の実施の形態の電子装置を図１に示し、電子装置の全体構成を図２に示す。まず、図２を参照すると、電子装置１は、内部に電子部品などを搭載したプリント基板を収容する筐体３を備えている。筐体３の側面には、電子装置１を他の電子装置と接続するためのコネクタ部５が設けられている。筐体３の上面には、筐体３を貫通し、筐体３の内部に通じる貫通穴７が設けられている。そして、電子装置１には、貫通穴７を用いた通気のための構成として、保護リング９、Ｏリング１１、通気キャップ１３、通気膜１５および保護キャップ１７が備えられている。
【００１８】
図１は、上記の通気のための構成を詳細に示している。本発明では、図１における貫通穴７を基準として、貫通穴７に近い側を「内側」、貫通穴７から遠い側を「外側」と呼ぶ。また、図１の上方（筐体３の外方向）を「上側」、図１の下方（筐体３の内方向）を「下側」と呼ぶ。
【００１９】
図１において、保護リング９は、貫通穴７を取り囲むように設けられている。保護リング９は、筐体３から突出する円筒状の側壁で構成されている。また、保護リング９の内側の壁面は図示のように傾斜しており、これにより、上方に行くほど保護リング９の内径が大きくなっている。
【００２０】
通気キャップ１３は、保護リング９の内側に設けられており、貫通穴７に嵌合している。通気キャップ１３は、円筒状の嵌合足部２１を備えており、嵌合足部２１が貫通穴７に嵌っている。嵌合足部２１の下端には係合爪２３が設けられており、係合爪２３が筐体３の内面に係合している。また嵌合足部２１の上端には円板状のフランジ部２５が設けられており、フランジ部２５と筐体３の間にＯリング１１が挟まれている。Ｏリング１１は、通気キャップ１３の外側と筐体３との間をシールしている。
【００２１】
通気膜１５は、通気キャップ１３の中央の穴を塞ぐように、通気キャップ１３の上端付近に備えられている。通気膜１５は、液体の通過を阻止し、空気を通過させ、これにより、筐体３内の空気と外気との通気を行う。
【００２２】
保護キャップ１７は、通気膜１５に対して貫通穴７と反対側に設けられており、通気キャップ１３と係合している。保護キャップ１７は、円板部３１と足部３３とで構成されている。円板部３１は、通気膜１５の上方に、通気膜１５と隙間を開けて配置されている。円板部３１の直径は、通気キャップ１３の外径にほぼ等しく、したがって、通気膜１５の直径より大きい。そして、保護キャップ１７は円板部３１にて通気膜１５を覆っている。
【００２３】
保護キャップ１７の足部３３は、円板部３１の端部から下方に延びており、足部３３の先端の係合部が通気キャップ１３のフランジ部２５と係合している。図１に示されるように、２本の足部３３が円板部３１の両側に設けられている。そして、２本の足部３３で、円板部３１が通気膜１５の上方に保持されている。
【００２４】
図１において、Ａ点は、保護キャップ１７の外側下端部である。また、Ｂ点は、保護リングの内周上端部である。また、Ｃ点は、通気膜１５の外端部である。本実施の形態では、Ｂ点が、Ａ点とＣ点を結んだ直線上に位置しており、このような位置関係が得られるように、保護リング９および他の構成の形状が設定されている。
【００２５】
そして、Ａ点、Ｂ点、Ｃ点が上記の位置関係を有するので、下記のように、外部から保護リング９と保護キャップ１７の隙間４１に棒を進入させても、棒を通気膜１５に届かせることはできない。
【００２６】
すなわち、棒を通気膜１５に届かせようとした場合、図３に示されるように、棒Ｐはなるべく低い角度で隙間４１に進入される。このとき、棒Ｐの一方の側が保護リング９と点Ｂで接触し、そして、棒Ｐの反対側が先の方で保護キャップ１７の点Ａに接触し、点Ｂ、点Ａで棒Ｐの角度が規制されることになる。しかし、このように棒Ｐが極力低い角度で差し込まれても、Ａ点とＣ点の延長線上にＢ点が位置していると、図３の如く棒Ｐは通気膜１５の周囲で通気キャップ１３に当たり、通気膜１５には到達できない。
【００２７】
このように、本実施の形態では、外部から棒等を進入させて通気膜１５を突こうとしても、保護リング９の内側上端部Ｂ点と保護キャップ１７の外端部Ａ点によって棒の方向が規制されてしまい、棒を通気膜１５に届かせることはできない。したがって、棒でもって通気膜１５を故意に破損させることが不可能である。高圧洗浄で噴射される液体についても同様である。棒状のものと同様に、直進する液体噴流は、通気膜１５に到達できない。
【００２８】
なお、通気膜１５の外端部Ｃ点は、本実施の形態では、実際には、通気キャップ１３の中央穴の上端の肩部である。本発明では、通気膜の外端部は、通気膜に到達可能な最も外側の経路が通過すべき点であればよく、この観点で、本実施の形態の例では、上記のような穴の肩部が通気膜の外端部として扱われている。
【００２９】
また、本実施の形態においては、保護リング９と保護キャップ１７とが、筐体３の外側で通気膜１５を覆う保護手段に相当しており、保護リング９と保護キャップ１７の隙間４１が、保護手段の内外空間を連通する開口に相当している。そして、Ａ点、Ｂ点が、それぞれ、通気開口の内側下端部および外側上端部に相当している。この点では、断面視で通気膜１５の外端部Ｃ点と開口の内側下端部Ａ点とを結んだ直線上に開口の外側上端部Ｂ点が位置しており、これにより棒等が通気膜１５へ到達できなくなっている。
【００３０】
また、本実施の形態では、Ｂ点が、Ａ点とＣ点を結ぶ直線上に位置している。これに対して、Ｂ点は、Ａ点とＣ点を結ぶ直線より内側に位置してもよい。この場合にも同様に棒や液体噴流は通気膜１５へ到達できない。
【００３１】
以上に本発明の第１の実施の形態の電子装置１について説明した。本実施の形態によれば、図２の断面図で見て通気膜１５の外端部Ｃ点と保護手段の開口の内側下端部Ａ点とを結んだ直線上または直線より内側に開口の外側上端部Ｂ点が位置するように保護手段を設けることにより、故意的な通気膜１５への負荷に対しても通気膜１５を保護することが可能であり、通気膜１５の損傷を軽減することができる。
【００３２】
また、本実施の形態によれば、通気膜１５の外端部Ｃ点と保護キャップ１７の外端部Ａ点とを結んだ直線上または直線より内側に保護リング９の内側上端部Ｂ点が位置するように保護リング９等が形成されており、これにより、故意的な通気膜１５への負荷に対しても通気膜１５を保護することが可能であり、通気膜１５の損傷を軽減することができる。
【００３３】
なお、本実施の形態の電子装置１は、好ましくは、図２の通気関連の構成が横方向を向くように、すなわち、通気膜１５の膜面が縦になるように配置される。これにより、保護リング９の内側へ水等が溜まるのを防止できる。そして、保護リング９の内周面が傾斜しているので、水等の排出が好適に促進される。
【００３４】
また、本実施の形態の変形例として、通気膜、保護リング、保護キャップ等は円形でなくてもよく、例えば多角形でもよく、このような構成も本発明の範囲に含まれる。
【００３５】
次に、本発明の第２の実施の形態の電子装置を図４および図５に示す。本発明の第２の実施の形態の電子装置は、本発明の第１の実施の形態の電子装置と異なり、通気キャップを保護する保護キャップが通気キャップに取り付けられない場合を想定している。そして、本実施の形態では、保護キャップが通気キャップでなく保護リングに取り付けられる。
【００３６】
図４および図５において、電子装置５１は、内部に電子部品などを搭載したプリント基板を収容する筐体５３を備えている。筐体５３の側面には、電子装置５１を他の電子装置と接続するためのコネクタ部５５が設けられている。筐体５３の上面には、筐体５３を貫通し、筐体５３の内部に通じる貫通穴５７が設けられている。そして、電子装置５１には、貫通穴５７を用いた通気のための構成として、保護リング５９、通気キャップ６３、通気膜６５および保護キャップ６７が備えられている。
【００３７】
図６は、上記の通気のための構成を詳細に示している。本実施の形態においても、第１の実施の形態と同様に、図６における貫通穴５７を基準として、貫通穴５７に近い側を「内側」、貫通穴５７から遠い側を「外側」と呼ぶ。また、図６の上方（筐体５３の外方向）を「上側」、図６の下方（筐体５３の内方向）を「下側」と呼ぶ。
【００３８】
図６において、保護リング５９は、貫通穴５７を取り囲むように設けられている。保護リング５９は、筐体５３から突出する円筒状の側壁で構成されている。また、保護リング５９の内側の壁面は図示のように傾斜しており、これにより、上方に行くほど保護リング５９の内径が大きくなっている。
【００３９】
通気キャップ６３は、保護リング５９の内側に設けられており、貫通穴５７に嵌合している。通気キャップ６３は、円筒部７１を備えており、円筒部７１が貫通穴５７に嵌っている。円筒部７１の外周の凹凸が貫通穴５７の内周の凹凸と係合しており、これにより、通気キャップ６３の外側と筐体５３との間がシールされている。円筒部７１の下端には係合爪７３が設けられており、係合爪７３が筐体５３の内面に係合している。また円筒部７１の上端には円板状のフランジ部７５が設けられており、フランジ部７５は筐体５３の上面に密着している。通気キャップ６３は、筐体５３の外側から貫通穴５７に押し込まれ、円筒部７１が変形して係合爪７３が変形して筐体５３の内部まで達し、これにより図示のように通気キャップ６３が筐体５３に組み付けられている。
【００４０】
通気膜６５は、通気キャップ６３の中央の穴を塞ぐように、通気キャップ６３の上端付近に備えられている。通気膜６５は、液体の通過を阻止し、空気を通過させ、これにより、筐体５３内の空気と外気との通気を行う。
【００４１】
保護キャップ６７は、通気膜６５に対して貫通穴５７と反対側に設けられており、通気膜６５を覆っている。前述の第１の実施の形態では、保護キャップが通気キャップに取り付けられていたが、第２の実施の形態では、保護キャップ６７は、通気キャップ６３に組み付けられていない。保護キャップ６７は、保護リング５９の全体を覆うようにして、保護リング５９に組み付けられている。
【００４２】
保護キャップ６７は、円板部８１と、円板部８１の縁部に設けられた円筒部８３で構成されている。円筒部８３が、保護リング５９の外側に嵌り、これにより、保護リング５９の全体が保護キャップ６７で覆われている。
【００４３】
本実施の形態では、保護キャップ６７の円筒部８３の内面にめねじがきられており、保護リング５９の外周面におねじがきられており、保護キャップ６７が保護リング５９に締結されており、これにより保護キャップ６７が保護リング５９に脱着可能に設けられている。なお、本発明の範囲内で、保護キャップ６７は保護リング５９に接着剤で取り付けられてもよく、また、保護キャップ６７と保護リング５９が圧入で組み付けられてもよく、他の構成により両者が組み付けられてもよい。
【００４４】
保護キャップ６７の天面には、図示のように、通気穴９１が設けられている。図４および図５に示されるように、各通気穴９１は円弧状の細長い穴またはスリットからなり、複数の通気穴９１が通気膜６４を取り囲むように円形に配置されている。
【００４５】
そして、本実施の形態では、通気穴９１の外側上端部Ｂ点が、通気穴９１の内側下端部Ａ点と通気膜６５の外端部Ｃ点とを結んだ直線上に位置しており、このような位置関係が得られるように、通気穴９１の位置および形状が設定されており、また、保護リング５９、保護キャップ６７等の部材の形状が設定されている。
【００４６】
上記のような位置関係をＡ点、Ｂ点、Ｃ点が有するので、本実施の形態でも、第１の実施の形態と同様に、外部から棒状のものを通気膜１５に届かせることはできない。
【００４７】
すなわち、棒を通気膜６５に届かせようとした場合、棒はなるべく低い角度で通気穴９１に進入され、棒の角度は、点Ｂと点Ａで規制されることになる。しかし、極力低い角度で棒が差し込まれても、Ａ点とＣ点の延長線上にＢ点が位置していると、棒は通気膜６５の周囲で通気キャップ６３に当たり、通気膜６５には到達できない。
【００４８】
このように、本実施の形態では、外部から棒等を進入させて通気膜６５を突こうとしても、通気穴９１の外側上端部Ｂ点と内側下端部Ａ点によって棒の方向が規制されてしまい、棒を通気膜６５に届かせることはできない。したがって、棒でもって通気膜６５を故意に破損させることが不可能である。高圧洗浄で噴射される液体についても同様である。棒状のものと同様に、直進する液体噴流は、通気膜６５に到達できない。
【００４９】
なお、第１の実施の形態と同様に、本実施の形態でも、通気膜の外端部Ｃ点は、実際には、通気キャップ６３の中央穴の上端の肩部である。本発明では、通気膜の外端部は、通気膜に到達可能な最も外側の経路が通過すべき点であればよく、この観点で、本実施の形態の例では、上記のような穴の肩部が通気膜の外端部として扱われている。
【００５０】
また、本実施の形態においては、保護リング５９と保護キャップ６７とが、筐体５３の外側で通気膜６５を覆う保護手段に相当しており、保護キャップ６７の通気穴９１が、保護手段の内外空間を連通する開口に相当している。そして、Ａ点、Ｂ点が、それぞれ、通気開口の内側下端部および外側上端部に相当している。この点では、断面視で通気膜６５の外端部Ｃ点と開口の内側下端部Ａ点とを結んだ直線上に開口の外側上端部Ｂ点が位置しており、これにより棒等が通気膜６５へ到達できなくなっている。
【００５１】
また、本実施の形態では、Ｂ点が、Ａ点とＣ点を結ぶ直線上に位置している。これに対して、Ｂ点は、Ａ点とＣ点を結ぶ直線より内側に位置してもよい。この場合にも同様に棒や液体噴流は通気膜６５へ到達できない。
【００５２】
以上に本発明の第２の実施の形態の電子装置５１について説明した。第２の実施の形態によれば、第１の実施の形態と同様、図６の断面図で見て通気膜６５の外端部Ｃ点と保護手段の開口の内側下端部Ａ点とを結んだ直線上または直線より内側に開口の外側上端部Ｂ点が位置するように保護手段を設けることにより、故意的な通気膜６５への負荷に対しても通気膜６５を保護することが可能であり、通気膜６５の損傷を軽減することができる。
【００５３】
また、本実施の形態によれば、通気膜６５の外端部Ｃ点と通気穴９１の内側下端部Ａ点とを結んだ直線上または直線より内側に通気穴９１の内側上端部Ｂ点が位置しており、これにより、故意的な通気膜６５への負荷に対しても通気膜６５を保護することが可能であり、通気膜６５の損傷を軽減することができる。
【００５４】
なお、本実施の形態の電子装置５１も、第１の実施の形態と同様に、好ましくは、図６の通気関連の構成が横方向を向くように、すなわち、通気膜６５の膜面が縦になるように配置される。これにより、保護リング５９の内側へ水等が溜まるのを防止できる。そして、保護リング５９の内周面が傾斜しているので、水等の排出が好適に促進される。
【００５５】
また、第１の実施の形態と同様に、本実施の形態の変形例として、通気膜、保護リング、保護キャップ等は円形でなくてもよく、例えば多角形でもよく、このような構成も本発明の範囲に含まれる。
【００５６】
その他、本発明は上述の実施の形態に限定されず、当業者が本発明の範囲内で上述の実施の形態を変形可能なことはもちろんである。
【産業上の利用可能性】
【００５７】
以上のように、本発明にかかる電子装置は、通気膜への故意的な負荷に対しても通気膜を保護することが可能であり、膜の損傷を軽減することができるという効果を有し、通気手段を有する電子装置等として有用である。
【図面の簡単な説明】
【００５８】
【図１】本発明の第１の実施の形態における電子装置の断面図
【図２】本発明の第１の実施の形態における電子装置の斜視図
【図３】本発明の第１の実施の形態における電子装置に棒が挿入された状態を示す図
【図４】本発明の第２の実施の形態における電子装置の斜視図
【図５】本発明の第２の実施の形態における電子装置の拡大斜視図
【図６】本発明の第２の実施の形態における電子装置の断面図
【図７】従来の電子装置を示す図
【符号の説明】
【００５９】
１  電子装置
３  筐体
７  貫通穴
９  保護リング
１３  通気キャップ
１５  通気膜
１７  保護キャップ
４１  隙間
Ａ  保護キャップ外端部
Ｂ  保護リング内側上端部
Ｃ  通気膜外端部
【図１】
2006041304.tif 000003
【図２】
2006041304.tif 000004
【図３】
2006041304.tif 000005
【図４】
2006041304.tif 000006
【図５】
2006041304.tif 000007
【図６】
2006041304.tif 000008
【図７】
2006041304.tif 000009